(57)【要約】 【課題】  光源を容易に取り付けることができるエッジライト型バックライトモジュールの光源取付構造およびこれを用いたフラットディスプレイを提供する。【解決手段】  液晶ディスプレイ１において、筺体４の前側部材４１と後側部材４２は接合した状態で一方の側面４ａ側に、導光板７の入光面７１との間で外部へ開口した陥凹部４３を形成している。一方、光源保持ケース８は、陥凹部４３に嵌合して筺体４に固定されるとともに、陥凹部４３に嵌合した状態で光源１０からの光が入光面７１へ照射されるように形成されている。【選択図】  図１
2006108074.tif 000002
【特許請求の範囲】
【請求項１】
内部に導光板が収容された筺体と、
内部に光源を保持して前記筺体の端に取り付けられる光源保持ケースとを備え、
前記筺体には、前記導光板の出光面と対向する前面側に、前記出光面全体を露出可能な開口部が設けられているとともに、前記導光板の入光面と対向する側面側に、前記入光面との間でこの入光面全体を露出させる外部へ開口した陥凹部が形成されている一方、
前記光源保持ケースは、前記陥凹部に嵌合して前記筺体に固定されるとともに、前記陥凹部に嵌合した状態で、保持されている前記光源からの光が前記入光面へ照射されるように形成されたことを特徴とするエッジライト型バックライトモジュールの光源取付構造。
【請求項２】
前記筺体は、前側部材と、この前側部材に接合した後側部材とを備え、
前記前側部材には前記開口部が設けられているとともに、前記前側部材と前記後側部材は接合した状態で前記導光板の前記入光面とにより前記陥凹部を形成するように形成されたことを特徴とする請求項１記載のエッジライト型バックライトモジュールの光源取付構造。
【請求項３】
前記筺体の前記前側部材または前記後側部材の少なくともいずれか一方に被係止手段を設けるとともに、前記光源保持ケースに、前記陥凹部に嵌合した状態で前記被係止手段に係止される係止手段を設けたことを特徴とする請求項２記載のエッジライト型バックライトモジュールの光源取付構造。
【請求項４】
前記被係止手段はスロットである一方、前記係止手段は前記スロットに係止される突起であることを特徴とする請求項３記載のエッジライト型バックライトモジュールの光源取付構造。
【請求項５】
前記筺体の前記前側部材または前記後側部材の少なくともいずれか一方と前記光源保持ケースとに、前記光源保持ケースが前記陥凹部に嵌合した状態で連通する螺子穴をそれぞれ設けるとともに、両方の螺子穴に螺合する螺子を備えたことを特徴とする請求項２記載のエッジライト型バックライトモジュールの光源取付構造。
【請求項６】
前記陥凹部は断面矩形状に形成されているとともに、前記光源保持ケースは前記陥凹部側へ開口した断面コ字の箱状に形成されたことを特徴とする請求項２記載のエッジライト型バックライトモジュールの光源取付構造。
【請求項７】
前記光源保持ケースは金属で形成されたことを特徴とする請求項２記載のエッジライト型バックライトモジュールの光源取付構造。
【請求項８】
前記筺体の前記前側部材は金属で形成されたことを特徴とする請求項２記載のエッジライト型バックライトモジュールの光源取付構造。
【請求項９】
前記筺体の前記後側部材はプラスチックで形成されたことを特徴とする請求項２記載のエッジライト型バックライトモジュールの光源取付構造。
【請求項１０】
前記光源に冷陰極蛍光管を用いたことを特徴とする請求項２記載のエッジライト型バックライトモジュールの光源取付構造。
【請求項１１】
前記光源に外部電極蛍光管を用いたことを特徴とする請求項２記載のエッジライト型バックライトモジュールの光源取付構造。
【請求項１２】
ディスプレイ本体と、
このディスプレイ本体の端に取り付けられるライトアセンブリとを備え、
前記ディスプレイ本体は、
ディスプレイパネルと、
このディスプレイパネルの裏側に配置された導光板と、
前記ディスプレイパネルおよび前記導光板を内部に収容する筺体とを備え、
この筺体には、前記ディスプレイパネルの前面に形成されているディスプレイ面と対向する前面側に、前記ディスプレイ面全体を露出させる開口部が設けられているとともに、前記導光板の入光面と対向する側面側に、前記入光面との間でこの入光面全体を露出させる外部へ開口した陥凹部が形成されている一方、
前記ライトアセンブリは、
光源保持ケースと、
この光源保持ケース内に保持された光源とを備え、
前記光源保持ケースは、前記陥凹部に嵌合して前記筺体に固定されるとともに、前記陥凹部に嵌合した状態で、収容されている前記光源からの光が前記入光面へ照射されるように形成されたことを特徴とするフラットディスプレイ。
【請求項１３】
前記筺体は、前側部材と、この前側部材に接合した後側部材とを備え、前記前側部材には前記開口部が設けられているとともに、前記前側部材と前記後側部材は接合した状態で前記導光板の前記入光面とにより前記陥凹部を形成するように形成されたことを特徴とする請求項１２記載のフラットディスプレイ。
【請求項１４】
前記筺体の前記前側部材または前記後側部材の少なくともいずれか一方に被係止手段を設けるとともに、前記光源保持ケースに、前記陥凹部に嵌合した状態で前記被係止手段に係止される係止手段を設けたことを特徴とする請求項１３記載のフラットディスプレイ。
【請求項１５】
前記被係止手段はスロットである一方、前記係止手段は前記スロットに係止される突起であることを特徴とする請求項１４記載のフラットディスプレイ。
【請求項１６】
前記筺体の前記前側部材または前記後側部材の少なくともいずれか一方と前記光源保持ケースとに、前記光源保持ケースが前記陥凹部に嵌合した状態で連通する螺子穴をそれぞれ設けるとともに、両方の螺子穴に螺合する螺子を備えたことを特徴とする請求項１３記載のフラットディスプレイ。
【請求項１７】
前記陥凹部は断面矩形状に形成されているとともに、前記光源保持ケースは前記陥凹部側へ開口した断面コ字の箱状に形成されたことを特徴とする請求項１３記載のフラットディスプレイ。
【請求項１８】
前記光源保持ケースは金属で形成されたことを特徴とする請求項１３記載のフラットディスプレイ。
【請求項１９】
前記筺体の前記前側部材は金属で形成されたことを特徴とする請求項１３記載のフラットディスプレイ。
【請求項２０】
前記筺体の前記後側部材はプラスチックで形成されたことを特徴とする請求項１３記載のフラットディスプレイ。
【請求項２１】
前記光源に冷陰極蛍光管を用いたことを特徴とする請求項１３記載のフラットディスプレイ。
【請求項２２】
前記光源に外部電極蛍光管を用いたことを特徴とする請求項１３記載のフラットディスプレイ。
【発明の詳細な説明】
【技術分野】
【０００１】
本発明は、エッジライト型バックライトモジュールの光源取付構造およびこれを用いたフラットディスプレイに関する。
【背景技術】
【０００２】
従来、液晶ディスプレイ等のフラットディスプレイには、ディスプレイパネルを照らすために一般的にバックライトモジュールが設けられている。このバックライトモジュールは直下型とエッジライト型が知られている。直下型はディスプレイパネルの裏側に拡散板を介して光源を設けたものである。一方、エッジライト型はディスプレイパネルの裏側に設けられた導光板の入光面（端面）に光源を向けて設けたものである。またこの光源には、一般的に冷陰極蛍光管や外部電極蛍光管が用いられている。
【０００３】
そしてエッジライト型バックライトモジュールにおける光源取付構造としては、例えば図６に示す構造が知られている（特許文献１参照）。この構造は、導光板１２２を内部に収容する筺体（特許文献１の図１０中のカバー）と、筺体内に設けられたランプホールドユニット１２４と、このランプホールドユニット１２４に対して垂直方向に着脱自在なランプガードユニット１２６とを備えている。
【０００４】
前記筺体には前面側に導光板１２２を介してディスプレイパネル（図示せず）全体を露出させる開口部が設けられているとともに、裏面の端に開口部が設けられている。ランプホールドユニット１２６は、この裏面の開口部から露出するように筺体内に固定されている。またランプホールドユニット１２６は、下ホルダー１２８と、下ホルダー１２８の内面に設けられた下反射膜１３６とを備えている。そして下ホルダー１２８は導光板１２２の端部に取り付けられており、取り付けた状態で入光面（端面）１２２ａ全体が露出するように形成されている。
【０００５】
一方、ランプガードユニット１２６は、上ホルダー１３８と、上ホルダー１３８の内面に設けられた上反射膜１４２と、上反射膜１４２の内側に保持された蛍光管１４４とを備えている。そして上ホルダー１３８は、導光板１２２の出光面（前面）１２２ｂに垂直な方向でランプホールドユニット１２４から取り外し可能に構成されている。さらに上ホルダー１３８は、ランプホールドユニット１２４に取り付けた状態で蛍光管１４４が導光板１２２の入光面１２２ａを照射するように入光面１２２ａへ開口して形成されている。
【特許文献１】米国特許第５，５３７，２９６号公報
【発明の開示】
【発明が解決しようとする課題】
【０００６】
しかしながら、このような光源取付構造においてはランプホールドユニット１２４が筺体内に設けられているため、筺体内に手を入れてランプガードユニット１２６を取り付けなければならない。したがって手が筺体の開口部に邪魔されて動きが規制されてしまい、ランプガードユニット１２６を容易に取り付けられない、言い換えると光源１４４を容易に取り付けることができなかった。
【０００７】
本発明は、かかる従来の課題に鑑みてなされたものであり、光源を容易に取り付けることができるエッジライト型バックライトモジュールの光源取付構造およびこれを用いたフラットディスプレイを提供することを目的とする。
【課題を解決するための手段】
【０００８】
前記課題を解決するために本発明のエッジライト型バックライトモジュールの光源取付構造においては、内部に導光板が収容された筺体と、内部に光源を保持して前記筺体の端に取り付けられる光源保持ケースとを備え、前記筺体には、前記導光板の出光面と対向する前面側に、前記出光面全体を露出可能な開口部が設けられているとともに、前記導光板の入光面と対向する側面側に、前記入光面との間でこの入光面全体を露出させる外部へ開口した陥凹部が形成されている一方、前記光源保持ケースは、前記陥凹部に嵌合して前記筺体に固定されるとともに、前記陥凹部に嵌合した状態で、保持されている前記光源からの光が前記入光面へ照射されるように形成されたことを特徴としている。
【０００９】
また本発明のエッジライト型バックライトモジュールの光源取付構造においては、前記筺体は、前側部材と、この前側部材に接合した後側部材とを備え、前記前側部材には前記開口部が設けられているとともに、前記前側部材と前記後側部材は接合した状態で前記導光板の前記入光面とにより前記陥凹部を形成するように形成されたことを特徴としている。
【００１０】
また本発明のエッジライト型バックライトモジュールの光源取付構造においては、前記筺体の前記前側部材または前記後側部材の少なくともいずれか一方に被係止手段を設けるとともに、前記光源保持ケースに、前記陥凹部に嵌合した状態で前記被係止手段に係止される係止手段を設けたことを特徴としている。
【００１１】
また本発明のエッジライト型バックライトモジュールの光源取付構造においては、前記被係止手段はスロットである一方、前記係止手段は前記スロットに係止される突起であることを特徴としている。
【００１２】
また本発明のエッジライト型バックライトモジュールの光源取付構造においては、前記筺体の前記前側部材または前記後側部材の少なくともいずれか一方と前記光源保持ケースとに、前記光源保持ケースが前記陥凹部に嵌合した状態で連通する螺子穴をそれぞれ設けるとともに、両方の螺子穴に螺合する螺子を備えたことを特徴としている。
【００１３】
また本発明のエッジライト型バックライトモジュールの光源取付構造においては、前記陥凹部は断面矩形状に形成されているとともに、前記光源保持ケースは前記陥凹部側へ開口した断面コ字の箱状に形成されたことを特徴としている。
【００１４】
また本発明のエッジライト型バックライトモジュールの光源取付構造においては、前記光源保持ケースは金属で形成されたことを特徴としている。
【００１５】
また本発明のエッジライト型バックライトモジュールの光源取付構造においては、前記筺体の前記前側部材は金属で形成されたことを特徴としている。
【００１６】
また本発明のエッジライト型バックライトモジュールの光源取付構造においては、前記筺体の前記後側部材はプラスチックで形成されたことを特徴としている。
【００１７】
また本発明のエッジライト型バックライトモジュールの光源取付構造においては、前記光源に冷陰極蛍光管を用いたことを特徴としている。
【００１８】
また本発明のエッジライト型バックライトモジュールの光源取付構造においては、前記光源に外部電極蛍光管を用いたことを特徴としている。
【００１９】
また本発明のフラットディスプレイにおいては、ディスプレイ本体と、このディスプレイ本体の端に取り付けられるライトアセンブリとを備え、前記ディスプレイ本体は、ディスプレイパネルと、このディスプレイパネルの裏側に配置された導光板と、前記ディスプレイパネルおよび前記導光板を内部に収容する筺体とを備え、この筺体には、前記ディスプレイパネルに形成されているディスプレイ面と対向する前面側に、前記ディスプレイ面全体を露出させる開口部が設けられているとともに、前記導光板の入光面と対向する側面側に、前記入光面との間でこの入光面全体を露出させる外部へ開口した陥凹部が形成されている一方、前記ライトアセンブリは、光源保持ケースと、この光源保持ケース内に保持された光源とを備え、前記光源保持ケースは、前記陥凹部に嵌合して前記筺体に固定されるとともに、前記陥凹部に嵌合した状態で、収容されている前記光源からの光が前記入光面へ照射されるように形成されたことを特徴としている。
【００２０】
また本発明のフラットディスプレイにおいては、前記筺体は、前側部材と、この前側部材に接合した後側部材とを備え、前記前側部材には前記開口部が設けられているとともに、前記前側部材と前記後側部材は接合した状態で前記導光板の前記入光面とにより前記陥凹部を形成するように形成されたことを特徴としている。
【００２１】
また本発明のフラットディスプレイにおいては、前記筺体の前記前側部材または前記後側部材の少なくともいずれか一方に被係止手段を設けるとともに、前記光源保持ケースに、前記陥凹部に嵌合した状態で前記被係止手段に係止される係止手段を設けたことを特徴としている。
【００２２】
また本発明のフラットディスプレイにおいては、前記被係止手段はスロットである一方、前記係止手段は前記スロットに係止される突起であることを特徴としている。
【００２３】
また本発明のフラットディスプレイにおいては、前記筺体の前記前側部材または前記後側部材の少なくともいずれか一方と前記光源保持ケースとに、前記光源保持ケースが前記陥凹部に嵌合した状態で連通する螺子穴をそれぞれ設けるとともに、両方の螺子穴に螺合する螺子を備えたことを特徴としている。
【００２４】
また本発明のフラットディスプレイにおいては、前記陥凹部は断面矩形状に形成されているとともに、前記光源保持ケースは前記陥凹部側へ開口した断面コ字の箱状に形成されたことを特徴としている。
【００２５】
また本発明のフラットディスプレイにおいては、前記光源保持ケースは金属で形成されたことを特徴としている。
【００２６】
また本発明のフラットディスプレイにおいては、前記筺体の前記前側部材は金属で形成されたことを特徴としている。
【００２７】
また本発明のフラットディスプレイにおいては、前記筺体の前記後側部材はプラスチックで形成されたことを特徴としている。
【００２８】
また本発明のフラットディスプレイにおいては、前記光源に冷陰極蛍光管を用いたことを特徴としている。
【００２９】
また本発明のフラットディスプレイにおいては、前記光源に外部電極蛍光管を用いたことを特徴としている
【００３０】
したがって要約すると、本発明のエッジライト型バックライトモジュールの光源取付構造は、導光板を間において前側部材と後側部材とが接合して形成された筺体と、光源保持ケースとを備えている。導光板の入光面と対向する筺体の側面側には、入光面と前側部材と後側部材とにより陥凹部が形成されている。また光源保持ケースは陥凹部に嵌合して固定されているとともに、内部に光源が保持されている。
【００３１】
また本発明のフラットディスプレイにおいては、前側部材と後側部材とが接合して形成された筺体と、前側部材と後側部材との間に前から順に設けられたディスプレイパネルおよび導光板と、筺体に取り付けられるライトアセンブリとを備えている。導光板の入光面と対向する筺体の側面側には、入光面と前側部材と後側部材とにより陥凹部が形成されている。そしてライトアセンブリは陥凹部に嵌合して固定される光源保持ケースと、この光源保持ケース内に保持された光源とを備えている。
【発明の効果】
【００３２】
本発明のエッジライト型バックライトモジュールの光源取付構造およびこれを用いたフラットディスプレイにおいては、筺体の側面側に設けられた陥凹部に光源保持ケースを嵌め込んで取り付けるようにしたため、取付時に筺体内に手を入れる必要がない。よって、光源を容易に取り付けることができる。また光源保持ケースを筺体に係止させたり螺合させることにより光源保持ケースを筺体に確実に固定することができる。また光源として蛍光管を用いる場合には光源保持ケースを金属で形成することにより、樹脂の場合に比べて蛍光管の熱放散が促進されるので蛍光管の寿命を伸ばすことができる。
【発明を実施するための最良の形態】
【００３３】
本発明についての目的、特徴、長所が一層明確に理解されるよう、以下に実施の形態を例示し、図面を参照にしながら、詳細に説明する。
【００３４】
第１の実施の形態：
図１は本発明の第１の実施の形態を示す液晶ディスプレイ（フラットディスプレイ）１の分解斜視図であり、図２は図１のＡ−Ａ断面図である。この液晶ディスプレイ１は、ディスプレイ本体２と、このディスプレイ本体２の端に取り付けられるライトアセンブリ３とを備えている。
【００３５】
ディスプレイ本体２は、筺体４と、筺体４内に収容された収容部材とを備えている。この収容部材は、図２に示すように前（図２では上）から順に平行に配置されたディスプレイパネル５、光学膜６、導光板７と、図示しないが駆動回路およびインバータ回路とを備えている。
【００３６】
ディスプレイパネル５は前面に文字等を表示するディスプレイ面５１が形成されている。光学膜６は光を通過させるように構成されている。導光板７は周知のように透光性の材料から形成されており、一端面は光が入射される入光面７１を構成し、前面は光を出射する出光面７２を構成している。さらにこの導光板７は出光面７２がディスプレイ面５１と平行になるように配置されている。
【００３７】
また前記駆動回路は、ディスプレイパネル５と外部の電源および制御装置とに接続するように構成され、ディスプレイパネル５を駆動させるものである。また前記インバータ回路は、ライトアセンブリ３に設けられた蛍光管１１と外部の電源とに接続するように構成され、蛍光管１１を駆動させるものである。
【００３８】
一方、筺体４は、金属製の前側部材４１と、前側部材４１に接合したプラスチック製の後側部材４２とを備えている。
【００３９】
前側部材４１は一端および後方へ開口した断面Ｌ字の箱状に形成されている。また前側部材４１の前面 ４１１側には開口部４１２が設けられており、この開口部４１２はディスプレイパネル５のディスプレイ面５１全体が露出するように形成されている。また前側部材４１の左右側壁４１３、４１３の一方には、開口している一端側に近い端部にスロット４１４が設けられている。
【００４０】
また後側部材４２は前側部材４１の後方側の開口部を塞ぐように平板状に形成されている。また両部材４１、４２は接合した状態で、導光板７の入光面７１と対向する一方の側面４ａ側に、入光面７１との間で外部へ開口した陥凹部４３を形成している。この陥凹部４３は入光面７１全体を露出させるとともに出光面７１と平行になるように断面矩形状に形成されている。
【００４１】
一方、ライトアセンブリ３は、図１に示すように筺体４に取り付けられる光源保持ケース８と、この光源保持ケース８の内面に設けられた反射材９と、この反射材９を介して光源保持ケース８内に保持された光源１０とを備えている。
【００４２】
したがって本実施の形態のエッジライト型バックライトモジュールは、筺体４と、光学膜６と、導光板７と、ライトアセンブリ３とから構成されており、光源取付構造は、筺体４と、光源保持ケース８とから構成されている。
【００４３】
この光源保持ケース８は、陥凹部４３に嵌合して筺体４に固定されるように形成されている。さらにこの光源保持ケース８は、陥凹部４３に嵌合した状態で光源１０からの光が導光板７の入光面７１へ照射されるように、陥凹部４３へ開口した断面コ字の箱状に形成されている。
【００４４】
またこの光源保持ケース８には、左右側壁８１、８１の一方に突起８２が設けられている。この突起８２は、光源保持ケース８が陥凹部４３に嵌合した状態で前記スロット４１４に係止されるように設置位置と大きさが設定されて形成されている。
【００４５】
一方、光源１０は、少なくとも一本の蛍光管１１と、蛍光管１１の両端部に取り付けられたソケット１２、１２とを備えている。蛍光管１１は、例えば冷陰極蛍光管や外部電極蛍光管等が用いられる。また図示しないが、一方のソケット１２からは蛍光管１１に電気的に接続されたコネクターケーブルが引き出されており、筺体４内に設けられた前記インバータ回路に接続するように形成されている。
【００４６】
かかる構成においてディスプレイ本体２にライトアセンブリ３を取り付けるには、光源保持ケース８を一方の手に持ち、他方の手でコネクターケーブルを筺体４内のインバータ回路に接続した後、図３に示すように光源保持ケース８を陥凹部４３に嵌め込む。またこのとき、図４に示すように光源保持ケース８に設けられた突起８２は、筺体４に設けられたスロット４１４に係止される。
【００４７】
また完成した液晶ディスプレイ１を駆動すると、図３に示すように蛍光管１１からの光１１ａ（一点鎖線で図示）が反射材９で反射されて入光面７１から導光板７内に入り、導光板７内を通って出光面７２から前方へ出射される。出光面７２から出射された光は光学膜６とディスプレイパネル５内を通ってディスプレイ面５１から外部へ出射される。
【００４８】
そして本実施の形態の光源取付構造およびこれを用いた液晶ディスプレイ１では、筺体４の一方の側面４ａ側に陥凹部４３を設けたことにより、図３に示すように光源保持ケース８を陥凹部４３に嵌め込んで取り付けるようにした。このため、取付時に筺体内４に手を入れる必要がない。よって、光源１０を容易に取り付けることができる。
【００４９】
また光源保持ケース８を突起８２とスロット４１４とを介して筺体４に係止されるようにしたため、光源保持ケース８を筺体４に確実に固定することができる。また光源保持ケース８を金属で形成したことにより、樹脂の場合に比べて蛍光管１１の熱放散が促進されるので蛍光管１１の寿命を伸ばすことができる。
【００５０】
なお本実施の形態では後側部材４２の形状を平板状としたが、前側部材４１と同様に一端および前方が開口した断面Ｌ字の箱状に形成し、前側部材４１と左右側壁同士を重ね合わせて接合することにより筺体を形成しても良い。またこの場合には前側部材と後側部材の両方にスロットを設けるが、スロットは両部材の形状に応じて少なくとも一方の部材に設ければ良い。また被係止手段および係止手段は本実施の形態で説明したスロット４１４および突起８２に限定しなくても良い。
【００５１】
第２の実施の形態：
図５は本発明の第２の実施の形態を示す液晶ディスプレイ（フラットディスプレイ）１０１の要部分解斜視図である。本実施の形態では、第１の実施の形態と同じ部分には同じ符号を付し、異なる部分を中心にして説明する。本実施の形態の液晶ディスプレイ１０１は、ディスプレイ本体２００と、ディスプレイ本体２００の端に取り付けられるライトアセンブリ３００と、螺子１００とを備えている。
【００５２】
そして本実施の形態のエッジライト型バックライトモジュールの光源取付構造は、ディスプレイ本体２００を構成している筺体４００と、ライトアセンブリ３００を構成している光源保持ケース８００と、前記螺子１００とにより構成されている。
【００５３】
筺体４００は、前側部材４０１と、前側部材４０１に接合した後側部材４２とを備えている。そして両部材４０１は導光板７の入光面７１（図２参照）との間で、一方の側面４００ａ側に陥凹部４３を形成している。前側部材４０１は第１の実施の形態で説明した前側部材４１と同様に、一端および後方へ開口した断面Ｌ字の箱状に形成されており、前壁４１１には開口部４１２が設けられている。そして前側部材４０１の左右側壁４１３（図１参照）、４１５の一方４１５には、開口している一端側に近い端部に螺子穴４１６が設けられている。
【００５４】
一方、光源保持ケース８００には、陥凹部４３に嵌合して筺体４００に固定されるとともに陥凹部４３へ開口した断面コ字の箱状に形成されている。そしてこの光源保持ケース８００には、左右側壁（図示せず）の一方に螺子穴８０１が設けられている。この螺子穴８０１は前側部材４０１の螺子穴４１６と同じ大きさに形成されており、光源保持ケース８００が陥凹部４３に嵌合した状態で螺子穴４１６と連通するように設置位置が設定されている。
【００５５】
また前記螺子１００は、前側部材４０１の螺子穴４１６と光源保持ケース８００の螺子穴８０２とに螺合するように形成されている。
【００５６】
かかる構成においてディスプレイ本体２００にライトアセンブリ３００を取り付けるには、光源保持ケース８００を一方の手に持ち、他方の手でコネクタケーブルを筺体４００内のインバータ回路に接続した後、光源保持ケース８００を陥凹部４３に嵌め込む。そして螺子１００を両方の螺子穴４１６、８０１に挿入して螺合させる。このようにすることにより光源保持ケース８００を筺体４００に確実に固定することができる。
【００５７】
以上、本発明の好適な実施の形態を例示したが、これは本発明を限定するものではなく、本発明の精神および範囲を逸脱しない限りにおいては、当業者であれば行い得る少々の変更や修飾を付加することは可能である。従って本発明が保護を請求する範囲は、特許請求の範囲を基準とする。
【産業上の利用可能性】
【００５８】
以上説明したように本発明のエッジライト型バックライトモジュールの光源取付構造およびこれを用いたフラットディスプレイにおいては光源を容易に取り付けることができるので、これらの技術分野で十分に利用することができる。
【図面の簡単な説明】
【００５９】
【図１】本発明の第１の実施の形態を示す液晶ディスプレイの分解斜視図である。
【図２】図１のＡ−Ａ断面図である。
【図３】同実施の形態を示すライトアセンブリの取付方法を示す断面図である。
【図４】同実施の形態を示す液晶ディスプレイの完成斜視図である。
【図５】本発明の第２の実施の形態を示す液晶ディスプレイの要部分解斜視図である。
【図６】従来の液晶ディスプレイに設けられたエッジライト型バックライトモジュールの光源取付構造の要部を示す断面図である。
【符号の説明】
【００６０】
１    液晶ディスプレイ
２    ディスプレイ本体
３    ライトアセンブリ
４    筺体
４ａ    側面
７    導光板
８    光源保持ケース
１０    光源
１１    蛍光管
４１    前側部材
４２    後側部材
４３    陥凹部
５１    ディスプレイ面
７１    入光面
７２    出光面
１００    螺子
１０１    液晶ディスプレイ
２００    ディスプレイ本体
３００    ライトアセンブリ
４００    筺体
４００ａ    側面
４０１    前側部材
４１１    前面
４１２    開口部
４１４    スロット
４１６    螺子穴
８００    光源保持ケース
８０１    螺子穴
【図１】
2006108074.tif 000003
【図２】
2006108074.tif 000004
【図３】
2006108074.tif 000005
【図４】
2006108074.tif 000006
【図５】
2006108074.tif 000007
【図６】
2006108074.tif 000008